(57)【要約】【課題】 回路内のスイッチの状態に関係なく負荷を常に完全に、しかも自在に高度に制御を可能にして、しかも従来のようにスイッチの操作も可能にする。複数のスイッチにも対応する。【解決手段】 電源と負荷とスイッチが直列に接続される回路に置いて、該スイッチをＮＣ接点のスイッチと継電器とを直列接続した回路に置換え、更に該継電器に並列に該回路を遮断して該回路の電位を検知し該継電器を制御する検知制御器で構成する。スイッチは複数でも直列に接続すれば良い。 更には検知制御器に受信装置、発信装置、機能操作スイッチ、各種センサー、表示装置、照明装置、又はタイムスイッチ機能の少なくともいずれか一を利用する事で自在に高度に制御が可能になる。【選択図】図１
2019125512.tif 000002
【特許請求の範囲】
【請求項１】
電源と負荷とスイッチが直列に接続される回路に置いて、該スイッチをＮＣ接点のスイッチと継電器とを直列接続した回路に置換え、更に該継電器に並列に該回路を遮断して該回路の電位を検知し該継電器を制御する検知制御器で構成される、ＮＣ接点回路制御装置。
【請求項２】
前記ＮＣ接点のスイッチを直列に複数接続した、請求項１のＮＣ接点回路制御装置。
【請求項３】
前記ＮＣ接点のスイッチの操作時に前記負荷が動作してなければ、該操作からの復帰時に該負荷を動作させ、該操作時に該負荷が動作していれば該操作からの復帰時に該負荷の停止を継続する、請求項１乃至２のＮＣ接点回路制御装置。
【請求項４】
前記ＮＣ接点のスイッチの操作により、前記検知制御器は前記負荷を一定時間動作させる、請求項１乃至３のＮＣ接点回路制御装置。
【請求項５】
ＮＣ接点のスイッチの操作をしてる時間により、前記検知制御器は該スイッチの操作からの復帰時に前記制御を変える、請求項１乃至４のＮＣ接点回路制御装置。
【請求項６】
ＮＣ接点のスイッチの操作をしてる時間により、前記検知制御器は該スイッチの操作からの復帰時に前記負荷の動作時間を比例して変える、請求項１乃至５のＮＣ接点回路制御装置。
【請求項７】
ＮＣ接点のスイッチの一定時間内の操作回数により、前記検知制御器は該スイッチの該一定時間内の操作からの復帰時に前記制御を変える、請求項１乃至６のＮＣ接点回路制御装置。
【請求項８】
前記検知制御器に受信装置、発信装置、機能操作スイッチ、各種センサー、表示装置、照明装置、又はタイムスイッチ機能の少なくともいずれか一を利用する、請求項１乃至７のＮＣ接点回路制御装置。
【請求項９】
前記検知制御器と前記継電器を、前記負荷又は前記スイッチに内蔵又は、アダプターやソケットを使い前記回路と接続した、又は分電盤内に内蔵して前記回路と接続した、請求項１乃至８のＮＣ接点回路制御装置。
【請求項１０】
前記ＮＣ接点のスイッチの操作による前記電源の供給停止を防ぐ為に、継電器を追加し、該スイッチに並列に或は、該スイッチを通過させるように該継電器の出力端子を接続した、請求項１乃至９のＮＣ接点回路制御装置。
【請求項１１】
前記検知制御器に搭載したスイッチの操作をしてる時間により又は、外部からのスイッチの操作信号の長さにより、前記検知制御器は前記制御を変える、請求項１乃至１０のＮＣ接点回路制御装置。
【請求項１２】
前記検知制御器に搭載したスイッチの操作をしてる時間により又は、外部からのスイッチの操作信号の長さにより、前記検知制御器は前記負荷の動作時間を比例して変える、請求項１乃至１１のＮＣ接点回路制御装置。
【発明の詳細な説明】
【技術分野】
【０００１】
本発明は、電源と負荷とそれを操作するスイッチの回路に置いて、ＮＯ接点のスイッチに代わり、ＮＣ接点のスイッチと、その電源を遮断する検知制御器とそれに操作される継電器を使用した回路である。
【背景技術】
【０００２】
電気回路の負荷制御には、従来ＮＯ接点のスイッチを使用して回路の負荷を制御するが、それではスイッチがオフ時の「回路上では」負荷を全く制御できない。しかし負荷を制御するにはそれは通常である。
【先行技術文献】
【特許文献】
【０００３】
【特許文献１】特許第５８７６６１３号
【特許文献２】特願２０１７−２３４３９８
【特許文献３】特願２０１８−００００２２
【発明の概要】
【発明が解決しようとする課題】
【０００４】
回路内のスイッチの状態に関係なく負荷を常に完全に、しかも自在に高度に制御を可能にして、しかも従来のようにスイッチの操作も可能にする。
【課題を解決するための手段】
【０００５】
従来のＮＯ接点のスイッチに代わり、 ＮＣ接点のスイッチと継電器と検知器で構成する。
回路に直列に入れたＮＣ接点のスイッチの回路を遮断するように設置した継電器と、回路を遮断して該スイッチの操作を検出して継電器を制御する検知制御器とで従来のＮＯ接点のスイッチの代わりとする。
【０００６】
従来のＮＯ接点のスイッチと同じような制御をするには、検知制御器はスイッチの操作毎に負荷をオンオフすれば良い。
【０００７】
ＮＣ接点のスイッチは、押釦スイッチ以外にも、トグルの付いたスイッチでトグルが自動で戻るスイッチでも良いし、或は押した瞬間だけ接点の接続を弾くようなスイッチでも良い。
押した瞬間だけ接点の接続を弾くスイッチでは、接点が開く時間は一定で、他のＮＣ接点のスイッチのように、接点を開く時間のコントロールはできない。
例えば、スイッチを押してる時間によって、検出制御器は負荷の制御を変える。
また、スイッチの一定時間内の連続操作に応じて、検出制御器は負荷の制御を変えても良く、それはスイッチを操作する際の負荷の状態によって、更に変える事もできる。
【０００８】
負荷が換気扇であれば検知制御器が間欠動作やセンサー動作をさせたり、照明の場合は夜間は消灯での待機ではなく薄暗く点灯させたり、また検知制御器内の受信装置を使用して無線での回路の制御も可能であるし、各種センサーや各種機能用に追加したスイッチでの制御も可能である。また、検知制御器に発信装置を備えて外部に回路の状態等を発信しても良い。
更には、表示装置を備えて、表示をしたり、照明装置で照明をしたり、タイムスイッチ機能を設けてタイムスイッチ制御をしても良い。
【０００９】
検知制御器の制御によっては、ＮＣ接点のスイッチを複数使用して３路回路のように制御する事も可能。この場合、３路スイッチを使用した回路のスイッチ間の２本の配線は１本になる。
【発明の効果】
【００１０】
電源が常時ある状態なので、負荷を常に完全に、しかも自在に高度に制御が可能になる。
ＮＣ接点のスイッチを押してる時間や、その連続操作で検出制御器は動作を決める事も可能。一例として、検出制御器が負荷を一定時間動作させる場合、０．５秒以下のスイッチを押してる時間であれば、その後３０秒間負荷を動作させ、０．５以上１秒未満ではその後６０秒動作させ、１秒以上押した場合はその後、負荷を連続又は１時間などの長時間動作させる。 
また、仮に消灯時に１秒以内に２度のスイッチ操作では別の動作、例えばセンサーを有効にするとかも可能。逆に、点灯時に前記の操作をであればセンサーの感度を下げても良い。 
勿論、動作中のスイッチ操作では動作停止が基本動作である。
【００１１】
しかも継電器は回路を遮断すれば設置場所に制限はなく、分電盤、負荷、電源、スイッチ等に内蔵しても、或はアダプターやソケット式での接続でも良い。また、スイッチに内蔵した場合は、スイッチの他方の端子からも電源を供給できるので、スイッチを操作した時の電源の消失を補う制御も可能になる。
【図面の簡単な説明】
【００１２】
【図１】図１は本発明の実施方法を示した説明図である。（実施例１）
【図２】図２は本発明の実施方法を示した説明図である。（実施例２）
【図３】図３は本発明の実施方法を示した説明図である。（実施例３）
【図４】図４は本発明の実施方法を示した説明図である。（実施例４）
【図５】図５は本発明の実施方法を示した説明図である。（実施例５）
【図６】図６は本発明の実施方法を示した説明図である。（実施例６）
【図７】図７は本発明の実施方法を示した説明図である。（実施例７）
【図８】図８は本発明の実施方法を示した説明図である。（実施例８）
【図９】図９は本発明の実施方法を示した説明図である。（実施例９）
【図１０】図１０は本発明の実施方法を示した説明図である。（実施例１０）
【発明を実施するための形態】
【実施例１】
【００１３】
図１は、本発明の１実施例で、図１ ＮＣ接点スイッチ３を押してる間、電源２が切れ、離した瞬間にコントロール装置１に電源２が再び供給され、その時間をコントロール装置１は判断して動作を決める。一例として、コントロール装置１が負荷４を一定時間動作させる場合、０．５秒以下のスイッチ３を押してる時間であれば３０秒間負荷４を動作させ、０．５以上１秒未満では６０秒動作させ、１秒以上押した場合は負荷は連続又は１時間などの長時間動作させる。
この場合、コントロール装置１は、１秒間だけ内部の電源を保持して置けば、この動作の切替は可能である。 
また、連続のスイッチ３の操作に対して、コントロール装置１は機能選択信号として捉え、必要な機能を動作させても良い。
勿論、動作中のスイッチ３の操作では負荷４の動作停止を選択でき、一定時間内の再度の操作ではコントロール装置１は機能選択信号として捉え、必要な機能を動作させても良い。
【００１４】
コントロール装置１は、検知制御器と継電器を一体化したものであるが、受信装置、発信装置、機能操作スイッチ、各種センサーや表示装置、照明装置、タイムスイッチ機能等も搭載して置くと、多彩な制御も可能になる。コントロール装置１の設置はこれに限らず、スイッチ３の間、分電盤内、負荷４又はスイッチ３と一体化、或はアダプターやソケットでの回路との接続でも良い。負荷も照明に限定されるものではなく、換気扇でも同じである。
また検知制御器１５に受信装置、発信装置、機能操作スイッチ、各種センサーや表示装置、照明装置、タイムスイッチ機能等を搭載しても同じであり、ここでは図の都合で夫々記載してる。電源も交流でも直流でも良い。  
【実施例２】
【００１５】
図２は、本発明の１実施例で、３路スイッチの機能も可能。
勿論、スイッチ３の数量に制限はなく、従来の３路スイッチの回路のスイッチ間の２本の配線は１本で済む事になる。
【実施例３】
【００１６】
図３は、本発明の１実施例で、クリックスイッチ６を複数利用した例で３路スイッチの機能も可能。クリックスイッチとは勝手な呼称であるが、押した瞬間のみ接点が一瞬離れるスイッチを想定した。この場合、接点が離れてる時間は一定である。
勿論、クリックスイッチ６の数量に制限はなく、従来の３路スイッチの回路のスイッチ間の２本の配線は１本で済む事になる。
【実施例４】
【００１７】
図４は、本発明の１実施例で、スイッチボックス又は分電盤７を使用した例。従来のスイッチとスイッチパネルで構成されてる設備をこれに交換するのも可能で、勿論これ単体での設置も可能。
ここでは分かり易くコントロール装置１に操作スイッチ８とセンサー９も接続して表記した。
【実施例５】
【００１８】
図５は、本発明の１実施例で、負荷と検出制御器を一体化１０した。負荷４に内蔵しても良いし、アダプターやソケット式での接続でも良い。
【実施例６】
【００１９】
図６は、本発明の１実施例で、スイッチに検出制御器を内蔵し、自在な場所に設置した送受信装置内蔵操作スイッチ１１や送受信装置内蔵センサー１２との交信による制御も可能。勿論、センサーやスイッチに限らず、タイムスイッチ機能でも良い。 
また、スイッチの他方の端子からも配線を引き入れる事で、ＮＣ接点スイッチ３の接点の開放による電源の消失を失くしての制御も可能である。
【実施例７】
【００２０】
図７は、本発明の１実施例で、ＮＣ接点スイッチ３は使用してないが、スイッチの操作が必要ない場合は本図のような結線になる。コントロール装置内蔵負荷１４はコントロール装置１と負荷４が一体化したものなので、それに搭載されたセンサーやスイッチ、その他での制御も可能で、自在な場所に設置した送受信装置内蔵操作スイッチ１１や送受信装置内蔵センサー１２との交信による制御も可能。
また、コントロール装置内蔵負荷１４に内蔵された送信装置で、送受信装置内蔵操作スイッチ１１の表示器１７に負荷の状態を表示も可能。
また、送受信装置内蔵操作スイッチ１１のスイッチを押してる時間により、該コントロール装置１は負荷４の制御を変える、又は負荷４の動作時間を比例して変える。その事は、コントロール装置内蔵負荷１４に搭載されたスイッチに付いても同様に制御する。
【実施例８】
【００２１】
図８は、本発明の１実施例で、コントロール装置１の内部。
電流を遮断する検知制御器１５は電源ライン５の電位を検知して接続線２０を通して、継電器１６を制御する。
【実施例９】
【００２２】
図９は、本発明の１実施例で、ＮＣ接点スイッチ３による電源の遮断を失くす回路を追加した図。別電源用の継電器２２は検知制御器１５がこちらも制御する。
更には、前記の目的以外にも独自に負荷４を安定して制御する事も可能である。
【実施例１０】
【００２３】
図１０は、本発明の１実施例で、図９と電気的に同等である。
【符号の説明】
【００２４】
１ コントロール装置（検知制御器と継電器、更に受信装置、発信装置、機能操作スイッチ、各種センサーや表示装置、照明装置、タイムスイッチ機能等も必要に応じて搭載する。）
２ 電源（交流又は直流）
３ ＮＣ接点のスイッチ
４ 負荷
５ 電源ライン
６ クリックスイッチ
７ スイッチボックス又は分電盤
８ 操作スイッチ
９ センサー
１０ 負荷と検出制御器が一体
１１ 送受信装置内蔵操作スイッチ
１２ 送受信装置内蔵センサー
１３ 検出制御器内蔵スイッチ
１４ コントロール装置内蔵負荷
１５ 検知制御器
１６ 継電器
１７ 表示器
１８ 受信装置
１９ 検出制御器Ｂ
２０ 検知制御器から継電器を制御する接続線
２１ 別電源に対応する接続線
２２ 別電源用の継電器
【図１】
2019125512.tif 000003
【図２】
2019125512.tif 000004
【図３】
2019125512.tif 000005
【図４】
2019125512.tif 000006
【図５】
2019125512.tif 000007
【図６】
2019125512.tif 000008
【図７】
2019125512.tif 000009
【図８】
2019125512.tif 000010
【図９】
2019125512.tif 000011
【図１０】
2019125512.tif 000012